(57)【要約】【課題】対象移動局ＵＥに対してＭＤＴ測定処理を行わせることが承諾されている場合にのみ、ＭＤＴを開始する。【解決手段】本発明に係る移動通信方法は、運用保守サーバＥＭが、無線基地局ｅＮＢに対して、「ＭＤＴ  ｃｏｎｆｉｇ」を送信する工程と、無線基地局ｅＮＢが、「ＭＤＴ  ｃｏｎｆｉｇ」に基づいて、対象移動局ＵＥを選択する工程と、無線基地局ｅＮＢが、移動管理ノードＭＭＥ又は加入者管理ノードＨＳＳに対して、対象移動局ＵＥに対してＭＤＴ測定処理を行わせることが承諾されているか否かについて問い合わせる工程と、無線基地局ｅＮＢが、対象移動局ＵＥに対してＭＤＴ測定処理を行わせることが承諾されている場合に、対象移動局ＵＥに対して、ＭＤＴ測定処理の実施を指示する工程とを有する【選択図】図４
2012129641.tif 000002
【特許請求の範囲】
【請求項１】
対象移動局が、運用保守サーバによって指定された測定処理を行い、該測定処理の結果を報告する移動通信方法であって、
前記運用保守サーバが、無線基地局に対して、前記測定処理の実施を指示する指示情報を送信する工程と、
前記無線基地局が、前記指示情報に基づいて、前記対象移動局を選択する工程と、
前記無線基地局が、所定ノードに対して、前記対象移動局に対して前記測定処理を行わせることが承諾されているか否かについて問い合わせる工程と、
前記無線基地局が、前記対象移動局に対して前記測定処理を行わせることが承諾されている場合に、該対象移動局に対して、前記測定処理の実施を指示する工程とを有することを特徴とする移動通信方法。
【請求項２】
対象移動局が、運用保守サーバによって指定された測定処理を行い、該測定処理の結果を報告する移動通信方法であって、
前記運用保守サーバが、無線基地局に対して、前記測定処理の実施を指示する指示情報を送信する工程Ａと、
前記無線基地局が、前記指示情報に基づいて、前記対象移動局を選択する工程Ｂと、
前記無線基地局が、前記対象移動局に対して前記測定処理を行わせることが承諾されているか否かについて判定する工程Ｃと、
前記無線基地局が、前記対象移動局に対して前記測定処理を行わせることが承諾されていると判定した場合に、該対象移動局に対して、前記測定処理の実施を指示する工程Ｄとを有することを特徴とする移動通信方法。
【請求項３】
前記工程Ｃにおいて、前記無線基地局は、所定ノードから受信した情報に基づいて、前記対象移動局に対して前記測定処理を行わせることが承諾されているか否かについて判定することを特徴とする請求項２に記載の移動通信方法。
【請求項４】
対象移動局が、運用保守サーバによって指定された測定処理を行い、該測定処理の結果を報告することができるように構成されている移動通信システムで用いられる無線基地局であって、
前記運用保守サーバから、前記測定処理の実施を指示する指示情報を受信した場合に、該指示情報に基づいて、前記対象移動局を選択するように構成されている選択部と、
所定ノードに対して、前記対象移動局に対して前記測定処理を行わせることが承諾されているか否かについて問い合わせるように構成されている問い合わせ部と、
前記対象移動局に対して前記測定処理を行わせることが承諾されている場合に、該対象移動局に対して、前記測定処理の実施を指示するように構成されている指示部とを具備することを特徴とする無線基地局。
【請求項５】
対象移動局が、運用保守サーバによって指定された測定処理を行い、該測定処理の結果を報告することができるように構成されている移動通信システムで用いられる無線基地局であって、
前記運用保守サーバから、前記測定処理の実施を指示する指示情報を受信した場合に、該指示情報に基づいて、前記対象移動局を選択するように構成されている選択部と、
前記対象移動局に対して前記測定処理を行わせることが承諾されているか否かについて判定するように構成されている判定部と、
前記対象移動局に対して前記測定処理を行わせることが承諾されていると判定された場合に、該対象移動局に対して、前記測定処理の実施を指示するように構成されている指示部とを具備することを特徴とする無線基地局。
【請求項６】
前記判定部は、所定ノードから受信した情報に基づいて、前記対象移動局に対して前記測定処理を行わせることが承諾されているか否かについて判定するように構成されていることを特徴とする請求項５に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ）」が規定されている。
【０００３】
かかるＭＤＴには、「Ｉｍｍｅｄｉａｔｅ  ＭＤＴ」及び「Ｌｏｇｇｅｄ  ＭＤＴ」の２つのモードがある。
【０００４】
「Ｉｍｍｅｄｉａｔｅ  ＭＤＴ」では、対象移動局ＵＥは、現状のＲＲＭ（Ｒａｄｉｏ  Ｒｅｓｏｕｒｃｅ  Ｍａｎａｇｅｍｅｎｔ）用の「ＲＲＣ  Ｍｅａｓｕｒｅｍｅｎｔ  Ｃｏｎｆｉｇｕｒａｔｉｏｎ」に基づく測定処理を行い、かかる測定処理の結果を含む「ＲＲＣ  Ｍｅａｓｕｒｅｍｅｎｔ  Ｒｅｐｏｒｔ」に、対象移動局ＵＥの位置情報を示す「Ｌｏｃａｔｉｏｎ  Ｉｎｆｏｒｍａｔｉｏｎ」を付与して、ネットワークに対して報告するように構成されている。
【０００５】
一方、「Ｌｏｇｇｅｄ  ＭＤＴ」では、対象移動局ＵＥは、接続状態（ＲＲＣＣ_ＣＯＮＮＥＣＴＥＤ）において、「Ｌｏｇｇｅｄ  ＭＤＴ  Ｃｏｎｆｉｇｕｒａｔｉｏｎ」を受信し、アイドル状態（ＲＲＣ_ＩＤＬＥ）において、「Ｌｏｇｇｅｄ  ＭＤＴ  Ｃｏｎｆｉｇｕｒａｔｉｏｎ」に基づく測定処理を行い、かかる測定処理の結果をＭＤＴログとして記憶し、接続状態（ＲＲＣＣ_ＣＯＮＮＥＣＴＥＤ）に遷移した場合に、かかるＭＤＴログを報告するように構成されている。
【０００６】
かかるＭＤＴを開始するための手順として、「Ｍａｎａｇｅｍｅｎｔ  ｂａｓｅｄ  ＭＤＴ  ａｃｔｉｖａｔｉｏｎ  ｐｒｏｃｅｄｕｒｅ」が規定されている。
【０００７】
「Ｍａｎａｇｅｍｅｎｔ  ｂａｓｅｄ  ＭＤＴ  ａｃｔｉｖａｔｉｏｎ  ｐｒｏｃｅｄｕｒｅ」では、対象ＭＤＴエリアを指定することができるように構成されている。
【先行技術文献】
【非特許文献】
【０００８】
【非特許文献１】３ＧＰＰ  ３７.３２０、Ｕｎｉｖｅｒｓａｌ  Ｔｅｒｒｅｓｔｒｉａｌ  Ｒａｄｉｏ  Ａｃｃｅｓｓ  （ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｒａｄｉｏ  ｍｅａｓｕｒｅｍｅｎｔ  ｃｏｌｌｅｃｔｉｏｎ  ｆｏｒ  Ｍｉｎｉｍｉｚａｔｉｏｎ  ｏｆ  Ｄｒｉｖｅ  Ｔｅｓｔｓ  （ＭＤＴ）；  Ｏｖｅｒａｌｌ  ｄｅｓｃｒｉｐｔｉｏｎ；  Ｓｔａｇｅ  ２
【発明の概要】
【発明が解決しようとする課題】
【０００９】
しかしながら、ＭＤＴは、移動局ＵＥの加入者によってサービスではないため、移動局ＵＥに対してＭＤＴ測定処理を行わせるためには、かかる移動局ＵＥの加入者の承諾が必要であると考える。
【００１０】
ここで、現状では、運用保守サーバＥＭや無線基地局ｅＮＢは、対象移動局ＵＥに対してＭＤＴ測定処理を行わせることが承諾されているか否かについて把握していない。
【００１１】
そこで、本発明は、上述の課題に鑑みてなされたものであり、対象移動局ＵＥに対してＭＤＴ測定処理を行わせることが承諾されている場合にのみ、ＭＤＴを開始することができる移動通信方法及び無線基地局を提供することを目的とする。
【課題を解決するための手段】
【００１２】
本発明の第１の特徴は、対象移動局が、運用保守サーバによって指定された測定処理を行い、該測定処理の結果を報告する移動通信方法であって、前記運用保守サーバが、無線基地局に対して、前記測定処理の実施を指示する指示情報を送信する工程と、前記無線基地局が、前記指示情報に基づいて、前記対象移動局を選択する工程と、前記無線基地局が、所定ノードに対して、前記対象移動局に対して前記測定処理を行わせることが承諾されているか否かについて問い合わせる工程と、前記無線基地局が、前記対象移動局に対して前記測定処理を行わせることが承諾されている場合に、該対象移動局に対して、前記測定処理の実施を指示する工程とを有することを要旨とする。
【００１３】
本発明の第２の特徴は、対象移動局が、運用保守サーバによって指定された測定処理を行い、該測定処理の結果を報告する移動通信方法であって、前記運用保守サーバが、無線基地局に対して、前記測定処理の実施を指示する指示情報を送信する工程と、前記無線基地局が、前記指示情報に基づいて、前記対象移動局を選択する工程と、前記無線基地局が、前記対象移動局に対して前記測定処理を行わせることが承諾されているか否かについて判定する工程と、前記無線基地局が、前記対象移動局に対して前記測定処理を行わせることが承諾されていると判定した場合に、該対象移動局に対して、前記測定処理の実施を指示する工程とを有することを要旨とする。
【００１４】
本発明の第３の特徴は、対象移動局が、運用保守サーバによって指定された測定処理を行い、該測定処理の結果を報告することができるように構成されている移動通信システムで用いられる無線基地局であって、前記運用保守サーバから、前記測定処理の実施を指示する指示情報を受信した場合に、該指示情報に基づいて、前記対象移動局を選択するように構成されている選択部と、所定ノードに対して、前記対象移動局に対して前記測定処理を行わせることが承諾されているか否かについて問い合わせるように構成されている問い合わせ部と、前記対象移動局に対して前記測定処理を行わせることが承諾されている場合に、該対象移動局に対して、前記測定処理の実施を指示するように構成されている指示部とを具備することを要旨とする。
【００１５】
本発明の第４の特徴は、対象移動局が、運用保守サーバによって指定された測定処理を行い、該測定処理の結果を報告することができるように構成されている移動通信システムで用いられる無線基地局であって、前記運用保守サーバから、前記測定処理の実施を指示する指示情報を受信した場合に、該指示情報に基づいて、前記対象移動局を選択するように構成されている選択部と、前記対象移動局に対して前記測定処理を行わせることが承諾されているか否かについて判定するように構成されている判定部と、前記対象移動局に対して前記測定処理を行わせることが承諾されていると判定された場合に、該対象移動局に対して、前記測定処理の実施を指示するように構成されている指示部とを具備することを要旨とする。
【発明の効果】
【００１６】
以上説明したように、本発明によれば、対象移動局ＵＥに対してＭＤＴ測定処理を行わせることが承諾されている場合にのみ、ＭＤＴを開始することができる移動通信方法及び無線基地局を提供することができる。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動管理ノード及び加入者管理サーバの機能ブロック図である。
【図４】本発明の第１の実施形態に係る移動通信システムの動作を示すシーケンス図である。
【図５】本発明の変更例１に係る無線基地局の機能ブロック図である。
【図６】本発明の変更例１に係る移動通信システムの動作を示すシーケンス図である。
【発明を実施するための形態】
【００１８】
（本発明の第１の実施形態に係る移動通信システム）
図１乃至図４を参照して、本発明の第１の実施形態に係る移動通信システムについて説明する。
【００１９】
図１に示すように、本実施形態に係る移動通信システムは、ＬＴＥ方式の移動通信システムであって、運用保守サーバＥＭと、加入者管理サーバＨＳＳ（Ｈｏｍｅ  Ｓｕｂｓｃｒｉｂｅｒ  Ｓｅｒｖｅｒ）と、移動管理ノードＭＭＥ（Ｍｏｂｉｌｉｔｙ  Ｍａｎａｇｅｍｅｎｔ  Ｅｎｔｉｔｙ）と、トレース収集サーバＴＣＥ（Ｔｒａｃｅ  Ｃｏｌｌｅｃｔｉｏｎ  Ｅｎｔｉｔｙ）と、無線基地局ｅＮＢとを具備している。
【００２０】
本実施形態に係る移動通信システムでは、運用保守サーバＥＭによって指定された対象移動局ＵＥが、運用保守サーバＥＭによって指定されたＭＤＴ測定処理を行い、かかるＭＤＴ測定処理の結果を含むＭＤＴログを報告することができるように構成されている。
【００２１】
本実施形態に係る対象移動局ＵＥは、「Ｉｍｍｅｄｉａｔｅ  ＭＤＴ」及び「Ｌｏｇｇｅｄ  ＭＤＴ」のいずれにも対応可能である。
【００２２】
また、本実施形態に係る移動通信システムでは、ＭＤＴを開始するための手順として、「Ｍａｎａｇｅｍｅｎｔ  ｂａｓｅｄ  ＭＤＴ  ａｃｔｉｖａｔｉｏｎ  ｐｒｏｃｅｄｕｒｅ」が適用されている。
【００２３】
図２に示すように、無線基地局ｅＮＢは、受信部１１と、選択部１２と、送信部１３とを具備している。
【００２４】
受信部１１は、運用保守サーバＥＭから、対象移動局ＵＥによるＭＤＴ測定処理の実施を指示する指示情報としての「ＭＤＴ  ｃｏｎｆｉｇ」を含む「Ｔｒａｃｅ  Ｓｅｓｓｉｏｎ  Ａｃｔｉｖａｔｉｏｎ」を受信するように構成されている。
【００２５】
かかる「ＭＤＴ  ｃｏｎｆｉｇ」には、対象ＭＤＴエリアが指定されており、対象移動局ＵＥは指定されていない。
【００２６】
選択部１２は、受信部１１によって「ＭＤＴ  ｃｏｎｆｉｇ」を含む「Ｔｒａｃｅ  Ｓｅｓｓｉｏｎ  Ａｃｔｉｖａｔｉｏｎ」が受信された場合、対象移動局ＵＥを選択するように構成されている。
【００２７】
具体的に、選択部１２は、「ＭＤＴ  ｃｏｎｆｉｇ」によって指定されているＭＤＴエリア内において接続状態（ＲＲＣ_ＣＯＮＮＥＣＴＥＤ）にある移動局ＵＥから取得した「ＵＥ  Ｃａｐａｂｉｌｉｔｙ」等に基づいて、対象移動局ＵＥを選択するように構成されていてもよい。
【００２８】
例えば、選択部１２は、「ＭＤＴ  ｃｏｎｆｉｇ」によって指定されているＭＤＴエリア内において接続状態（ＲＲＣ_ＣＯＮＮＥＣＴＥＤ）にある移動局ＵＥのうち、ＭＤＴ測定処理を行うことができる所定数の移動局ＵＥを、対象移動局ＵＥとして選択するように構成されていてもよい。
【００２９】
送信部１３は、移動管理ノードＭＭＥ又は加入者管理ノードＨＳＳに対して、対象移動局ＵＥに対してＭＤＴ測定処理を行わせることが承諾されているか否かについて問い合わせるための承諾チェック要求を含む「Ｃｅｌｌ  Ｔｒａｆｆｉｃ  Ｔｒａｃｅ」を送信するように構成されている。
【００３０】
ここで、受信部１１は、移動管理ノードＭＭＥ又は加入者管理ノードＨＳＳから、対象移動局ＵＥに対してＭＤＴ測定処理を行わせることが承諾されているか否かについての問い合わせ結果を示す承諾チェック結果を含む「Ｃｅｌｌ  Ｔｒａｆｆｉｃ  Ｔｒａｃｅ  Ｒｅｓｐｏｎｓｅ」を受信するように構成されている。
【００３１】
また、送信部１３は、対象移動局ＵＥに対してＭＤＴ測定処理を行わせることが承諾されている場合に、対象移動局ＵＥに対して、ＭＤＴ測定処理の実施を指示するための「ＭＤＴ  Ｃｏｎｆｉｇ」を送信するように構成されている。
【００３２】
一方、送信部１３は、対象移動局ＵＥに対してＭＤＴ測定処理を行わせることが承諾されていない場合に、対象移動局ＵＥに対して、ＭＤＴ測定処理の実施を指示するための「ＭＤＴ  Ｃｏｎｆｉｇ」を送信しないように構成されている。
【００３３】
図３に示すように、移動管理ノードＭＭＥ及び加入者管理サーバＨＳＳは、受信部２１と、判定部２２と、管理部２３と、送信部２４とを具備している。
【００３４】
受信部２１は、無線基地局ｅＮＢから、上述の承諾チェック要求を含む「Ｃｅｌｌ  Ｔｒａｆｆｉｃ  Ｔｒａｃｅ」を受信するように構成されている。
【００３５】
管理部２３は、各移動局ＵＥの加入者情報を管理するように構成されている。例えば、管理部２３は、各移動局ＵＥに対してＭＤＴ測定処理を行わせることが承諾されているか否かについて示す承諾情報を管理するように構成されている。
【００３６】
例えば、かかる承諾情報は、各移動局ＵＥのユーザが加入契約を申し込む際に設定されてもよい。
【００３７】
判定部２２は、受信部２１によって上述の承諾チェック要求を含む「Ｃｅｌｌ  Ｔｒａｆｆｉｃ  Ｔｒａｃｅ」が受信された場合に、管理部２３を参照して、対象移動局ＵＥに対してＭＤＴ測定処理を行わせることが承諾されているか否かについて判定するように構成されている。
【００３８】
送信部２４は、無線基地局ｅＮＢに対して、判定部２２による判定結果を示す承諾チェック結果を含む「Ｃｅｌｌ  Ｔｒａｆｆｉｃ  Ｔｒａｃｅ  Ｒｅｓｐｏｎｓｅ」を送信するように構成されている。
【００３９】
以下、図４を参照して、本実施形態に係る移動通信システムの動作の一例について説明する。
【００４０】
図４に示すように、ステップＳ１００１において、運用保守サーバＥＭは、無線基地局ｅＮＢに対して、対象ＭＤＴエリアを指定する「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００４１】
ステップＳ１００２において、移動局ＵＥ＃１をアイドル状態（ＲＲＣ_ＩＤＬＥ）から接続状態（ＲＲＣ_ＣＯＮＮＥＣＴＥＤ）に遷移させる手順が行われる。ここで、移動管理ノードＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」を送信する。
【００４２】
なお、図４において、ステップＳ１００１及びＳ１００２の順番が入れ替わっていてもよい。
【００４３】
無線基地局ｅＮＢは、ステップＳ１００３において、対象ＭＤＴエリア内で接続状態にある移動局ＵＥを抽出し、ステップＳ１００４において、これらの移動局ＵＥの「ＵＥ  Ｃａｐａｂｉｌｉｔｙ」を取得し、ステップＳ１００５において、かかる移動局ＵＥの中から、対象移動局ＵＥとして、移動局ＵＥ＃１を選択する。
【００４４】
ステップＳ１００６において、無線基地局ｅＮＢは、移動管理ノードＭＭＥ又は加入者管理ノードＨＳＳに対して、移動局ＵＥ＃１に対してＭＤＴ測定処理を行わせることが承諾されているか否かについて問い合わせるための承諾チェック要求を含む「Ｃｅｌｌ  Ｔｒａｆｆｉｃ  Ｔｒａｃｅ」を送信する。
【００４５】
ステップＳ１００７において、移動管理ノードＭＭＥ又は加入者管理ノードＨＳＳは、移動局ＵＥ＃１に係る承諾チェック要求を含む「Ｃｅｌｌ  Ｔｒａｆｆｉｃ  Ｔｒａｃｅ」に応じて、移動局ＵＥ＃１に対してＭＤＴ測定処理を行わせることが承諾されているか否かについて判定する。
【００４６】
ステップＳ１００８において、移動管理ノードＭＭＥ又は加入者管理ノードＨＳＳは、移動局ＵＥ＃１に対してＭＤＴ測定処理を行わせることが承諾されているか否かについて判定結果を示す承諾チェック結果を含む「Ｃｅｌｌ  Ｔｒａｆｆｉｃ  Ｔｒａｃｅ  Ｒｅｓｐｏｎｓｅ」を送信する。
【００４７】
無線基地局ｅＮＢは、「Ｃｅｌｌ  Ｔｒａｆｆｉｃ  Ｔｒａｃｅ  Ｒｅｓｐｏｎｓｅ」によって、移動局ＵＥ＃１に対してＭＤＴ測定処理を行わせることが承諾されていると通知された場合には、ステップＳ１００９において、移動局ＵＥ＃１に対して、ＲＲＣメッセージによって「ＭＤＴ  ｃｏｎｆｉｇ」を通知する。
【００４８】
一方、無線基地局ｅＮＢは、「Ｃｅｌｌ  Ｔｒａｆｆｉｃ  Ｔｒａｃｅ  Ｒｅｓｐｏｎｓｅ」によって、移動局ＵＥ＃１に対してＭＤＴ測定処理を行わせることが承諾されていないと通知された場合には、ステップＳ１００９において、移動局ＵＥ＃１に対して、ＲＲＣメッセージによって「ＭＤＴ  ｃｏｎｆｉｇ」を通知しない。
【００４９】
移動局ＵＥ＃１は、ステップＳ１０１０において、「Ｉｍｍｅｄｉａｔｅ  ＭＤＴ」又は「Ｌｏｇｇｅｄ  ＭＤＴ」のいずれかのモードで、ＭＤＴ測定処理を行い、ステップＳ１０１１において、無線基地局ｅＮＢに対して、かかるＭＤＴ測定処理の結果を含む「ＭＤＴ  ｒｅｐｏｒｔ」を送信する。ここで、移動局ＵＥ＃１は、「ＭＤＴ  ｒｅｐｏｒｔ」と共に、「Ｌｏｃａｔｉｏｎ  Ｉｎｆｏｒｍａｔｉｏｎ」を送信する。
【００５０】
ステップＳ１０１２において、無線基地局ｅＮＢは、トレース収集サーバＴＣＥに対して、ステップＳ１０１１において移動局ＵＥ＃１から受信した情報及び「ＭＤＴ  ｃｏｎｆｉｇ」を含む「Ｔｒａｃｅ  Ｒｅｃｏｒｄ」を送信する。
【００５１】
本発明の第１の実施形態に係る移動通信システムによれば、「Ｍａｎａｇｅｍｅｎｔ  ｂａｓｅｄ  ＭＤＴ  ａｃｔｉｖａｔｉｏｎ  ｐｒｏｃｅｄｕｒｅ」が適用されている場合であっても、移動管理ノードＭＭＥ又は加入者管理サーバＨＳＳが、対象移動局ＵＥに対してＭＤＴ測定処理を行わせることが承諾されていると判定した場合にのみ、対象移動局ＵＥによるＭＤＴを開始することができる。
【００５２】
（変更例１）
以下、図５及び図６を参照して、本発明の変更例１に係る移動通信システムについて、上述の第１の実施形態に係る移動通信システムとの相違点に着目して説明する。
【００５３】
図５に示すように、無線基地局ｅＮＢは、受信部３１と、選択部３２と、判定部３３と、管理部３３Ａと、送信部３４とを具備している。
【００５４】
管理部３３Ａは、各移動局ＵＥに対してＭＤＴ測定処理を行わせることが承諾されているか否かについて判定するために必要な情報を管理するように構成されている。
【００５５】
例えば、管理部３３Ａは、かかる情報として、ＭＤＴ測定処理を行わせることが承諾されている移動局ＵＥのＳＰＩＤ（Ｓｕｂｓｃｒｉｂｅｒ  Ｐｒｏｆｉｌｅ  Ｉｄｅｎｔｉｔｙ）等のタイプ情報を管理するように構成されていてもよいし、他の情報要素（ＩＥ：Ｉｎｆｏｒｍａｔｉｏｎ  Ｅｌｅｍｅｎｔ）を管理するように構成されていてもよい。
【００５６】
判定部３３は、受信部３１によって「ＭＤＴ  Ｃｏｎｆｉｇ」が受信された場合に、管理部３３Ａを参照して、選択部３２によって選択された対象移動局ＵＥに対してＭＤＴ測定処理を行わせることが承諾されているか否かについて判定するように構成されている。
【００５７】
送信部３４は、判定部３３によって対象移動局ＵＥに対してＭＤＴ測定処理を行わせることが承諾されていると判定された場合に、対象移動局ＵＥに対して、ＭＤＴ測定処理の実施を指示するための「ＭＤＴ  Ｃｏｎｆｉｇ」を送信するように構成されている。
【００５８】
一方、送信部３４は、判定部３３によって対象移動局ＵＥに対してＭＤＴ測定処理を行わせることが承諾されていないと判定された場合に、対象移動局ＵＥに対して、ＭＤＴ測定処理の実施を指示するための「ＭＤＴ  Ｃｏｎｆｉｇ」を送信しないように構成されている。
【００５９】
以下、図６を参照して、本変更例１に係る移動通信システムの動作の一例について説明する。
【００６０】
図６に示すように、ステップＳ２００１において、運用保守サーバＥＭは、無線基地局ｅＮＢに対して、対象ＭＤＴエリアを指定する「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００６１】
ステップＳ２００２において、移動局ＵＥ＃１をアイドル状態（ＲＲＣ_ＩＤＬＥ）から接続状態（ＲＲＣ_ＣＯＮＮＥＣＴＥＤ）に遷移させる手順が行われる。
【００６２】
ここで、移動管理ノードＭＭＥは、無線基地局ｅＮＢに対して、ＭＤＴ測定処理を行わせることが承諾されている移動局ＵＥのＳＰＩＤ等のタイプ情報を含む「Ｉｎｉｔｉａｌ  Ｃｏｎｔｅｘｔ  Ｓｅｔｕｐ  Ｒｅｑｕｅｓｔ」を送信する。
【００６３】
なお、図６において、ステップＳ２００１及びＳ２００２の順番が入れ替わっていてもよい。
【００６４】
無線基地局ｅＮＢは、ステップＳ２００３において、対象ＭＤＴエリア内で接続状態にある移動局ＵＥを抽出し、ステップＳ２００４において、これらの移動局ＵＥの「ＵＥ  Ｃａｐａｂｉｌｉｔｙ」を取得し、ステップＳ２００５において、かかる移動局ＵＥの中から、対象移動局ＵＥとして、移動局ＵＥ＃１を選択する。
【００６５】
無線基地局ｅＮＢは、ステップＳ２００６において、「Ｉｎｉｔｉａｌ  Ｃｏｎｔｅｘｔ  Ｓｅｔｕｐ  Ｒｅｑｕｅｓｔ」に含まれている移動局ＵＥのＳＰＩＤ（Ｓｕｂｓｃｒｉｂｅｒ  Ｐｒｏｆｉｌｅ  Ｉｄｅｎｔｉｔｙ）等のタイプ情報及び管理部３３Ａを参照して、移動局ＵＥ＃１に対してＭＤＴ測定処理を行わせることが承諾されているか否かについて判定し、ステップＳ２００７において、移動管理ノードＭＭＥ又は加入者管理サーバＨＳＳに対して、「Ｃｅｌｌ  Ｔｒａｆｆｉｃ  Ｔｒａｃｅ」を送信する。
【００６６】
無線基地局ｅＮＢは、移動局ＵＥ＃１に対してＭＤＴ測定処理を行わせることが承諾されていると判定した場合には、ステップＳ２００８において、移動局ＵＥ＃１に対して、ＲＲＣメッセージによって「ＭＤＴ  ｃｏｎｆｉｇ」を通知する。
【００６７】
一方、無線基地局ｅＮＢは、移動局ＵＥ＃１に対してＭＤＴ測定処理を行わせることが承諾されていないと判定した場合には、ステップＳ２００８において、移動局ＵＥ＃１に対して、ＲＲＣメッセージによって「ＭＤＴ  ｃｏｎｆｉｇ」を通知しない。
【００６８】
移動局ＵＥ＃１は、ステップＳ２００９において、「Ｉｍｍｅｄｉａｔｅ  ＭＤＴ」又は「Ｌｏｇｇｅｄ  ＭＤＴ」のいずれかのモードで、ＭＤＴ測定処理を行い、ステップＳ２０１０において、無線基地局ｅＮＢに対して、かかるＭＤＴ測定処理の結果を含む「ＭＤＴ  ｒｅｐｏｒｔ」を送信する。ここで、移動局ＵＥ＃１は、「ＭＤＴ  ｒｅｐｏｒｔ」と共に、「Ｌｏｃａｔｉｏｎ  Ｉｎｆｏｒｍａｔｉｏｎ」を送信する。
【００６９】
ステップＳ２０１１において、無線基地局ｅＮＢは、トレース収集サーバＴＣＥに対して、ステップＳ２０１０において移動局ＵＥ＃１から受信した情報及び「ＭＤＴ  ｃｏｎｆｉｇ」を含む「Ｔｒａｃｅ  Ｒｅｃｏｒｄ」を送信する。
【００７０】
本変更例１に係る移動通信システムによれば、「Ｍａｎａｇｅｍｅｎｔ  ｂａｓｅｄ  ＭＤＴ  ａｃｔｉｖａｔｉｏｎ  ｐｒｏｃｅｄｕｒｅ」が適用されている場合であっても、無線基地局ｅＮＢが、対象移動局ＵＥに対してＭＤＴ測定処理を行わせることが承諾されていると判定した場合にのみ、対象移動局ＵＥによるＭＤＴを開始することができる。
【００７１】
以上に述べた本実施形態の特徴は、以下のように表現されていてもよい。
【００７２】
本実施形態の第１の特徴は、対象移動局ＵＥが、運用保守サーバＥＭによって指定されたＭＤＴ測定処理を行い、ＭＤＴ測定処理の結果を報告する移動通信方法であって、運用保守サーバＥＭが、無線基地局ｅＮＢに対して、「ＭＤＴ  ｃｏｎｆｉｇ（ＭＤＴ測定処理の実施を指示する指示情報）」を送信する工程と、無線基地局ｅＮＢが、「ＭＤＴ  ｃｏｎｆｉｇ」に基づいて、対象移動局ＵＥを選択する工程と、無線基地局ｅＮＢが、移動管理ノードＭＭＥ又は加入者管理ノードＨＳＳ（所定ノード）に対して、対象移動局ＵＥに対してＭＤＴ測定処理を行わせることが承諾されているか否かについて問い合わせる工程と、無線基地局ｅＮＢが、対象移動局ＵＥに対してＭＤＴ測定処理を行わせることが承諾されている場合に、対象移動局ＵＥに対して、ＭＤＴ測定処理の実施を指示する工程とを有することを要旨とする。
【００７３】
本実施形態の第２の特徴は、対象移動局ＵＥが、運用保守サーバＥＭによって指定されたＭＤＴ測定処理を行い、ＭＤＴ測定処理の結果を報告する移動通信方法であって、運用保守サーバＥＭが、無線基地局ｅＮＢに対して、「ＭＤＴ  ｃｏｎｆｉｇ」を送信する工程Ａと、無線基地局ｅＮＢが、「ＭＤＴ  ｃｏｎｆｉｇ」に基づいて、対象移動局ＵＥを選択する工程Ｂと、無線基地局ｅＮＢが、対象移動局ＵＥに対してＭＤＴ測定処理を行わせることが承諾されているか否かについて判定する工程Ｃと、無線基地局ｅＮＢが、対象移動局ＵＥに対してＭＤＴ測定処理を行わせることが承諾されていると判定した場合に、対象移動局ＵＥに対して、ＭＤＴ測定処理の実施を指示する工程Ｄとを有することを要旨とする。
【００７４】
本実施形態の第２の特徴において、工程Ｃにおいて、無線基地局ｅＮＢは、移動管理ノードＭＭＥ又は加入者管理ノードＨＳＳ（所定ノード）から受信した情報（例えば、対象移動局ＵＥのＳＰＩＤや他の情報要素）に基づいて、対象移動局ＵＥに対してＭＤＴ測定処理を行わせることが承諾されているか否かについて判定してもよい。
【００７５】
本実施形態の第３の特徴は、対象移動局ＵＥが、運用保守サーバＥＭによって指定されたＭＤＴ測定処理を行い、ＭＤＴ測定処理の結果を報告することができるように構成されている移動通信システムで用いられる無線基地局ｅＮＢであって、運用保守サーバＥＭから、「ＭＤＴ  ｃｏｎｆｉｇ」を受信した場合に、「ＭＤＴ  ｃｏｎｆｉｇ」に基づいて、対象移動局ＵＥを選択するように構成されている選択部１２と、移動管理ノードＭＭＥ又は加入者管理ノードＨＳＳに対して、対象移動局ＵＥに対してＭＤＴ測定処理を行わせることが承諾されているか否かについて問い合わせるように構成されている送信部１３及び受信部１１と、対象移動局ＵＥに対してＭＤＴ測定処理を行わせることが承諾されている場合に、対象移動局ＵＥに対して、ＭＤＴ測定処理の実施を指示するように構成されている送信部１３とを具備することを要旨とする。
【００７６】
本実施形態の第４の特徴は、対象移動局ＵＥが、運用保守サーバＥＭによって指定されたＭＤＴ測定処理を行い、ＭＤＴ測定処理の結果を報告することができるように構成されている移動通信システムで用いられる無線基地局ｅＮＢであって、運用保守サーバＥＭから、「ＭＤＴ  ｃｏｎｆｉｇ」を受信した場合に、「ＭＤＴ  ｃｏｎｆｉｇ」に基づいて、対象移動局ＵＥを選択するように構成されている選択部２２と、対象移動局ＵＥに対してＭＤＴ測定処理を行わせることが承諾されているか否かについて判定するように構成されている判定部３３と、対象移動局ＵＥに対してＭＤＴ測定処理を行わせることが承諾されていると判定された場合に、対象移動局ＵＥに対して、ＭＤＴ測定処理の実施を指示するように構成されている送信部３４とを具備することを要旨とする。
【００７７】
本実施形態の第４の特徴において、判定部３３は、移動管理ノードＭＭＥ又は加入者管理ノードＨＳＳ（所定ノード）から受信した情報（例えば、対象移動局ＵＥのＳＰＩＤや他の情報要素）に基づいて、対象移動局ＵＥに対してＭＤＴ測定処理を行わせることが承諾されているか否かについて判定するように構成されていてもよい。
【００７８】
なお、上述の運用保守サーバＥＭや加入者管理サーバＨＳＳやトレース収集サーバＴＣＥや移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、運用保守サーバＥＭや加入者管理サーバＨＳＳやトレース収集サーバＴＣＥや移動管理ノードＭＭＥや無線基地局ｅＮＢや移動局ＵＥ内に設けられていてもよい。また、かかる記憶媒体及びプロセッサは、ディスクリートコンポーネントとして運用保守サーバＥＭや加入者管理サーバＨＳＳや移動管理ノードＭＭＥやトレース収集サーバＴＣＥや無線基地局ｅＮＢや移動局ＵＥ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ｅＮＢ…無線基地局
ＨＳＳ…加入者管理サーバ
ＭＭＥ…移動管理ノード
１１、２１、３１…受信部
１２、３２…選択部
１３、２４、３４…送信部
２２、３３…判定部
２３、３３Ａ…管理部
【図１】
2012129641.tif 000003
【図２】
2012129641.tif 000004
【図３】
2012129641.tif 000005
【図４】
2012129641.tif 000006
【図５】
2012129641.tif 000007
【図６】
2012129641.tif 000008